(57)【要約】  空気調和機の梱包装置は、筐体の底板に重量物を配置する室外機が載せ置かれる空気調和機の梱包装置であって、複数の木片が組み合わされて構成された直方体状の骨組構造であり、室外機が載せ置かれる支持台と、長尺の板状に形成され、支持台の上面部の一部を構成して底板と対向するものであって、一方の端部が支持台に固定され他方の端部が上下に移動自在の自由端として構成された長尺木片と、長尺木片において自由端側の端部の上面部に配置され、室外機が支持台に載せられたときに重量物の下方に位置して底板と当接する支持木片と、を有するものである。
2019198209.tif 000002
【特許請求の範囲】
【請求項１】
筐体の底板に重量物を配置する室外機が載せ置かれる空気調和機の梱包装置であって、
複数の木片が組み合わされて構成された直方体状の骨組構造であり、前記室外機が載せ置かれる支持台と、
長尺の板状に形成され、前記支持台の上面部の一部を構成して前記底板と対向するものであって、一方の端部が前記支持台に固定され他方の端部が上下に移動自在の自由端として構成された長尺木片と、
前記長尺木片において自由端側の前記端部の上面部に配置され、前記室外機が前記支持台に載せられたときに前記重量物の下方に位置して前記底板と当接する支持木片と、を有する空気調和機の梱包装置。
【請求項２】
前記支持台は、
長尺矩形の板状に形成され、同一平面上に並列して配置された複数の底板木片と、
長尺状の角材であり、前記複数の底板木片の長手方向の両端部において、前記複数の底板木片の上面部に固定された右側板木片及び左側板木片と、
長尺状の角材であり、前記複数の底板木片の上面部において、前記右側板木片と前記左側板木片との間に配置された中央木片と、
長尺状の角材であり、前記複数の底板木片の上面部において、前記右側板木片と前記中央木片との間に配置され、及び、前記左側板木片と前記中央木片との間にそれぞれ配置された中間木片と、
前記右側板木片、前記左側板木片、前記中央木片、前記中間木片の長手方向の両端部において、前記底板木片と対向するように前記右側板木片、前記左側板木片、前記中央木片、前記中間木片の上面部に配置され、前記底板に設けられた脚部が載せ置かれる上部木片と、を有する請求項１に記載の空気調和機の梱包装置。
【請求項３】
前記支持台は、
長尺矩形の板状に形成され、前記上部木片の間に架け渡され、前記上部木片に載せ置かれる前記脚部に当接して前記支持台上の前記室外機の配置位置を規定する位置規定用木片を更に備える請求項２に記載の空気調和機の梱包装置。
【請求項４】
前記支持台は、
前記右側板木片と前記左側板木片との間の距離が、前記底板の左右方向の長さよりも大きく、
前記上部木片のそれぞれの間の距離が、前記底板の前後方向の長さよりも大きい請求項２又は３に記載の空気調和機の梱包装置。
【請求項５】
前記支持台は、
長尺矩形の板状に形成され、２つの前記中間木片と前記中央木片との上面部に架け渡されている横断木片と、
長尺状の角材であり、前記長尺木片と前記横断木片との上面部に架け渡され、前記室外機が前記支持台に載せられたときに前記筐体内を機械室と送風機室とに区画する前記重量物の１つである仕切板の下方に位置し、前記底板と当接する中央支持木片と、を更に有する請求項２〜４のいずれか１項に記載の空気調和機の梱包装置。
【請求項６】
前記長尺木片は、
第１長尺木片と、前記第１長尺木片と並列して配置され前記第１長尺木片よりも長尺に形成された第２長尺木片と、を有し、
前記第１長尺木片と前記第２長尺木片とは、前記中央木片と前記中間木片との上面部において、前記上部木片のそれぞれの間に配置され、
前記支持木片は、
前記第１長尺木片に配置された第１支持木片と、前記第２長尺木片に配置された第２支持木片と、を有し、
前記室外機が前記支持台に載せられたときに、前記第１支持木片は、前記重量物の１つを構成する圧縮機の下方に位置し、前記第２支持木片は、前記重量物の１つを構成するアキュムレーターの下方に位置する請求項２〜５のいずれか１項に記載の空気調和機の梱包装置。
【請求項７】
前記長尺木片は、
前記中央木片と前記中間木片との上面部において、前記上部木片のそれぞれの間に配置され、
前記支持木片は、
前記長尺木片の長手方向に配列された第３支持木片と、第４支持木片とを有し、
前記第３支持木片は、
板状に形成され、前記長尺木片の短手方向において、一方の端部が前記長尺木片の自由端側の端部の上面部に固定され、他方の端部が前記長尺木片から突出した自由端を構成する第１突出木片と、
前記第１突出木片において自由端側の端部の上面部に配置され、前記室外機が前記支持台に載せられたときに前記重量物の１つを構成する圧縮機の下方に位置する第１台座木片と、
を有し、
前記第４支持木片は、
板状に形成され、前記長尺木片の短手方向において、一方の端部が前記長尺木片の自由端側の端部の上面部に固定され、他方の端部が前記長尺木片から前記第１突出木片の突出方向とは反対方向に突出した自由端を構成する第２突出木片と、
前記第２突出木片において自由端側の端部の上面部に配置され、前記室外機が前記支持台に載せられたときに前記重量物の１つを構成するアキュムレーターの下方に位置する第２台座木片と、を有する請求項２〜５のいずれか１項に記載の空気調和機の梱包装置。
【発明の詳細な説明】
【技術分野】
【０００１】
本発明は、梱包装置、さらに詳しくは、空気調和機が落下した際に受ける衝撃を緩和する空気調和機の梱包装置の構造に関するものである。
【背景技術】
【０００２】
空気調和機は、空気調和機の出荷から設置までの運搬作業において、空気調和機が落下の影響で破損しないように、空気調和機の下に梱包装置が取り付けられている。そのため、空気調和機は、落下したとしても、梱包装置によって空気調和機に生じる落下の衝撃が緩和されている。空気調和機の下に設置される梱包装置は、一般に、木片と発泡スチロール、ダンボールと発泡スチロール、もしくは、木片のみ、で構成されている。従来の梱包装置では、空気調和機の重心直下において、梱包装置の木片と木片との間に発泡スチロールが取り付けられることで、空気調和機に対する落下の衝撃を緩和する梱包装置が提案されている(例えば、特許文献１参照)。また、空気調和機に対する落下の衝撃を緩和するために、木片を湾曲させるように空気調和機に固定させて弾性力を持つ構造を有する梱包装置が提案されている（例えば、特許文献２参照）。
【先行技術文献】
【特許文献】
【０００３】
【特許文献１】特開平０６−３２９１７３号公報
【特許文献２】特開２０１５−２０５７０４号公報
【発明の概要】
【発明が解決しようとする課題】
【０００４】
梱包装置として空気調和機の直下に発泡スチロールを利用している場合、発泡スチロールは剛性が小さいため、例えば、ファンを２つ以上搭載して重量や寸法が大きくなり内部の部品重量が増加した空気調和機では、輸送及び据付時の落下時に部品の荷重を支えられず、落下の衝撃により部品の直下の筐体の底板が湾曲して破損する可能性が高くなる。このため、梱包装置として発泡スチロールより剛性が高い素材を利用する必要があり、その１つとして木片を利用する場合が考えられる。しかしながら、剛性が高い素材を梱包装置に利用すると、落下時に床から伝わる衝撃が空気調和機に伝達しやすくなり、空気調和機の破損に繋がるという問題がある。【０００５】
本発明は、上記のような課題を解決するためのもので、木片を利用して落下の衝撃を吸収し、落下時に空気調和機の荷重による破損を防ぐ耐力を持ち、かつ、落下時に床から伝わる衝撃が空気調和機に伝達しにくい空気調和機の梱包装置を提供することにある。
【課題を解決するための手段】
【０００６】
本発明の空気調和機の梱包装置は、筐体の底板に重量物を配置する室外機が載せ置かれる空気調和機の梱包装置であって、複数の木片が組み合わされて構成された直方体状の骨組構造であり、室外機が載せ置かれる支持台と、長尺の板状に形成され、支持台の上面部の一部を構成して底板と対向するものであって、一方の端部が支持台に固定され他方の端部が上下に移動自在の自由端として構成された長尺木片と、長尺木片において自由端側の端部の上面部に配置され、室外機が支持台に載せられたときに重量物の下方に位置して底板と当接する支持木片と、を有するものである。
【発明の効果】
【０００７】
本発明に係る空気調和機の梱包装置は、長尺の板状に形成され、支持台の上面部の一部を構成して底板と対向するものであって、一方の端部が支持台に固定され他方の端部が上下に移動自在の自由端として構成された長尺木片と、長尺木片において自由端側の端部の上面部に配置され、室外機が支持台に載せられたときに重量物の下方に位置して底板と当接する支持木片と、を有する。そのため、梱包装置は、発泡スチロールと比較して剛性が高い木材の弾性力を利用するものであり、空気調和機の落下時に重量物の荷重を支えて空気調和機の落下の衝撃を吸収し、落下時に空気調和機の荷重による破損を防ぐ耐力を持つ。その結果、梱包装置によって、空気調和機の落下時に床から伝わる衝撃が空気調和機に伝達しにくく、空気調和機に加わる落下時の衝撃が緩和されて、空気調和機の破損を防止することができる。
【図面の簡単な説明】
【０００８】
【図１】本発明の実施の形態１に係る梱包装置の斜視図である。
【図２】本発明の実施の形態１に係る梱包装置を空気調和機の室外機に取り付けた外観図である。
【図３】本発明の実施の形態１に係る梱包装置に対する室外機の重量物の配置を示す図である。
【図４】本発明の実施の形態１に係る梱包装置と室外機の重量物の位置関係を示す上面図である。
【図５】本発明の実施の形態１に係る梱包装置の垂直落下時の、室外機の変形の概念を示す図である。
【図６】図５の梱包装置に対する比較例を示す概念図である。
【図７】図５の梱包装置に対する他の比較例を示す概念図である。
【図８】本発明の実施の形態１に係る梱包装置の右側傾斜落下時の、室外機の変形の概念を示す図である。
【図９】図８の梱包装置に対する比較例を示す概念図である。
【図１０】図８の梱包装置に対する他の比較例を示す概念図である。
【図１１】本発明の実施の形態２に係る梱包装置を示す斜視図である。
【発明を実施するための形態】
【０００９】
以下、本発明の実施の形態に係る空気調和機２００の梱包装置１００及び梱包装置１１０について図面等を参照しながら説明する。以下の図面において、同一の符号を付したものは、同一又はこれに相当するものであり、以下に記載する実施の形態の全文において共通することとする。そして、明細書全文に表されている構成要素の形態は、あくまでも例示であって、明細書に記載された形態に限定するものではない。また、図面では各構成部材の大きさの関係が実際のものとは異なる場合がある。なお、本実施の形態において、理解を容易にするために方向を表す用語（例えば「上」、「下」、「右」、「左」、「前」、「後」など）を適宜用いるが、これは説明のためのものであって、これらの用語は本願発明を限定するものではない。
【００１０】
実施の形態１．
［梱包装置１００の構成］
図１は、本発明の実施の形態１に係る梱包装置１００の斜視図である。図２は、本発明の実施の形態１に係る梱包装置１００を空気調和機２００の室外機１５０に取り付けた外観図である。図１及び図２を用いて梱包装置１００の構成について説明する。梱包装置１００は、空気調和機２００を梱包する装置であり、筐体５１の底板６１に重量物を配置している室外機１５０が載せ置かれる。梱包装置１００は、室外機１５０が上面部１０ｂに載せ置かれる支持台１０を有する。また、梱包装置１００は、長尺の板状に形成され、支持台１０の上面部１０ｂの一部を構成して室外機１５０の底板６１と対向するものであって、一方の端部２１ａが支持台１０に固定され他方の端部２１ｂが上下に移動自在の自由端として構成された第１長尺木片２１を有する。また、梱包装置１００は、長尺の板状に形成され、支持台１０の上面部１０ｂの一部を構成して室外機１５０の底板６１と対向するものであって、一方の端部２３ａが支持台１０に固定され他方の端部２３ｂが上下に移動自在の自由端として構成された第２長尺木片２３を有する。さらに、梱包装置１００は、第１長尺木片２１において自由端側の端部２１ｂの上面部２１ｂ１に配置され、室外機１５０が支持台１０に載せられたときに重量物の下方に位置して底板６１と当接する第１支持木片２１ｃを有する。また、梱包装置１００は、第２長尺木片２３において自由端側の端部２３ｂの上面部２３ｂ１に配置され、室外機１５０が支持台１０に載せられたときに重量物の下方に位置して底板６１と当接する第２支持木片２３ｃを有する。
【００１１】
（支持台１０）
支持台１０は、複数の木片が組み合わされて構成された直方体状の骨組構造である。支持台１０は、底部１０ａに長尺矩形の板状に形成された複数の底板木片１１を有する。底板木片１１に対する垂直方向からの平面視において、複数の底板木片１１はそれぞれ、底板木片１１の長手方向が平行となるように、底板木片１１の短手方向において、一定の間隔をあけて、同一平面上に並列して配置されている。また、複数の底板木片１１はそれぞれ、各側面が同じ方向を向いて配置されている。底板木片１１は、長手方向の一方の端部に右側板木片１２が固定され、他方の端部に左側板木片１３が固定されている。
【００１２】
支持台１０は、底板木片１１の上部に右側板木片１２及び左側板木片１３を有する。右側板木片１２及び左側板木片１３は、長尺状の角材であり、複数の底板木片１１の長手方向の両端部において、並列した複数の底板木片１１の上面部１１ａにそれぞれ固定されている。右側板木片１２及び左側板木片１３は、複数の底板木片１１に架け渡されて固定され、複数の底板木片１１を連結する。右側板木片１２及び左側板木片１３は、底板木片１１に対する垂直方向からの平面視において、右側板木片１２及び左側板木片１３の長手方向が、底板木片１１の短手方向と平行になるように配置されている。また、右側板木片１２及び左側板木片１３は、互いに平行に配置されている。
【００１３】
支持台１０は、底板木片１１の上部に、右側板木片１２及び左側板木片１３と並列した中央木片１４を更に有する。中央木片１４は、長尺状の角材であり、複数の底板木片１１の上面部１１ａにおいて、右側板木片１２と左側板木片１３との間に配置されている。中央木片１４は、底板木片１１の長手方向の略中央に配置されている。中央木片１４は、並列した複数の底板木片１１の上面部１１ａにそれぞれ固定されている。中央木片１４は、複数の底板木片１１に架け渡されて固定され、複数の底板木片１１を連結する。中央木片１４は、底板木片１１に対する垂直方向からの平面視において、中央木片１４の長手方向が、底板木片１１の短手方向と平行になるように配置されている。また、中央木片１４は、右側板木片１２及び左側板木片１３と互いに平行に配置されている。
【００１４】
支持台１０は、底板木片１１の上部に、右側板木片１２、左側板木片１３、中央木片１４と並列した中間木片１５を更に有する。右側板木片１２と中央木片１４との間には、中間木片１５が配置されている。同様に、左側板木片１３と中央木片１４との間にも中間木片１５が配置されている。中間木片１５は、長尺状の角材であり、並列した複数の底板木片１１の上面部１１ａにそれぞれ固定されている。中間木片１５は、複数の底板木片１１に架け渡されて固定され、複数の底板木片１１を連結する。中間木片１５は、底板木片１１に対する垂直方向からの平面視において、中間木片１５の長手方向が、底板木片１１の短手方向と平行になるように配置されている。また、中間木片１５は、右側板木片１２、左側板木片１３、中央木片１４と互いに平行に配置されている。右側板木片１２、左側板木片１３、中央木片１４、中間木片１５の長手方向の長さは同じである。支持台１０は、右側板木片１２、左側板木片１３、中央木片１４、中間木片１５の上部に上部木片１６を有する。右側板木片１２、左側板木片１３、中央木片１４、中間木片１５は、それぞれ、上部木片１６と底板木片１１との間の上下方向の長さが同じである。すなわち、右側板木片１２、左側板木片１３、中央木片１４、中間木片１５の上面はそれぞれ同一平面を形成し、右側板木片１２、左側板木片１３、中央木片１４、中間木片１５の下面はそれぞれ同一平面を形成する。中央木片１４及び中間木片１５は、支持台１０の強度を補強するものである。
【００１５】
上部木片１６は、室外機１５０が支持台１０に載せ置かれた際に、底板６１に設けられた脚部５５が載せ置かれる板材である。右側板木片１２、左側板木片１３、中央木片１４、中間木片１５は、各木片の長手方向の両端部において、上部木片１６に固定されている。上部木片１６は、右側板木片１２、左側板木片１３、中央木片１４、中間木片１５の上面部に架け渡されている。上部木片１６は、右側板木片１２、左側板木片１３、中央木片１４、中間木片１５に架け渡されて固定され、右側板木片１２、左側板木片１３、中央木片１４、中間木片１５を連結させる。上部木片１６は、長尺矩形の板状に形成されており、底板木片１１に対する垂直方向からの平面視において、上部木片１６の長手方向が、右側板木片１２、左側板木片１３、中央木片１４、中間木片１５の短手方向と平行になるように配置されている。また、右側板木片１２、左側板木片１３、中央木片１４、中間木片１５の長手方向の両端部に配置された上部木片１６は、それぞれ平行に配置されている。上部木片１６は、上部木片１６の下面部が、底板木片１１の上面部と対向するように配置されている。すなわち、上部木片１６は、支持台１０を側面視した場合に、右側板木片１２、左側板木片１３、中央木片１４、中間木片１５を挟んで、底板木片１１と平行に配置されている。そのため、複数の上部木片１６が形成する平面と、複数の底板木片１１が形成する平面とは平行になっている。換言すると、右側板木片１２、左側板木片１３、中央木片１４、中間木片１５は、底板木片１１と、上部木片１６との間に配置されている。また、複数の底板木片１１はそれぞれ、右側板木片１２、左側板木片１３、中央木片１４、中間木片１５の下面部に固定されている。
【００１６】
支持台１０は、上部木片１６の間に架け渡された位置規定用木片１７を有する。位置規定用木片１７は、上部木片１６に載せ置かれる室外機１５０の脚部５５に当接して支持台１０上における室外機１５０の配置位置を規定する。位置規定用木片１７は、長尺矩形の板状に形成され、２つの上部木片１６の上面部１６ａに固定されている。位置規定用木片１７は、底板木片１１に対する垂直方向からの平面視において、位置規定用木片１７の長手方向が、右側板木片１２、左側板木片１３、中央木片１４、中間木片１５の長手方向と平行になるように配置されている。また、底板木片１１に対する垂直方向からの平面視において、位置規定用木片１７は、中央木片１４と左側板木片１３との間に配置された中間木片１５と、左側板木片１３との間に位置している。位置規定用木片１７は、上部木片１６の上面部１６ａに配置されることで、上部木片１６から上方に突出する凸部を形成する。室外機１５０の脚部５５は、この凸部の側面に当接することで、左右方向の移動が規制され、上部木片１６上における配置位置が規定される。
【００１７】
支持台１０は、２つの中間木片１５と中央木片１４との上面部に架け渡されている横断木片１８を有する。横断木片１８は、２つの中間木片１５と、中央木片１４との上面部に固定されている。横断木片１８は、長尺矩形の板状に形成されており、底板木片１１に対する垂直方向からの平面視において、横断木片１８の長手方向が、底板木片１１及び上部木片１６の長手方向と平行になるように配置されている。また、横断木片１８は、２つの上部木片１６の間に配置され、いずれか一方の上部木片１６に沿って配置されている。
【００１８】
（第１長尺木片２１及び第２長尺木片２３）
２つの中間木片１５と、中央木片１４との上面部には、第１長尺木片２１が固定されている。第１長尺木片２１は、２つの中間木片１５と、中央木片１４との上面部に架け渡されている。第１長尺木片２１は、長尺矩形の板状に形成されており、底板木片１１に対する垂直方向からの平面視において、第１長尺木片２１の長手方向が、底板木片１１及び上部木片１６の長手方向と平行になるように配置されている。また、第１長尺木片２１は、底板木片１１に対する垂直方向からの平面視において、２つの上部木片１６の間に配置されている。第１長尺木片２１は、一方の端部２１ａが、中央木片１４と左側板木片１３との間に配置された中間木片１５に固定されている。第１長尺木片２１は、他方の端部２１ｂ側が、中央木片１４と左側板木片１３との間に配置された中間木片１５から、右側板木片１２に向かって突出している。すなわち、第１長尺木片２１の端部２１ｂは、底板木片１１に対する垂直方向からの平面視において、中間木片１５と、右側板木片１２との間に位置する自由端である。第１長尺木片２１の端部２１ｂは、上下に移動自在に構成されている。第１長尺木片２１は、支持台１０の上面部１０ｂの一部を構成して、室外機１５０の底板６１と対向する。
【００１９】
第１長尺木片２１と、横断木片１８との上面部には、中央支持木片２１ｄが固定されている。中央支持木片２１ｄは、第１長尺木片２１と、横断木片１８との上面部に架け渡されている。中央支持木片２１ｄは、長尺状の角材であり、底板木片１１に対する垂直方向からの平面視において、中央支持木片２１ｄの長手方向が、右側板木片１２、左側板木片１３、中央木片１４、中間木片１５の長手方向と平行になるように配置されている。中央支持木片２１ｄは、梱包装置１００に室外機１５０を配置した場合に、室外機１５０の底板６１と当接する。
【００２０】
２つの中間木片１５と、中央木片１４との上面部には、さらに第２長尺木片２３が固定されている。第２長尺木片２３は、２つの中間木片１５と、中央木片１４との上面部に架け渡されている。第２長尺木片２３は、長尺矩形の板状に形成されており、底板木片１１に対する垂直方向からの平面視において、第２長尺木片２３の長手方向が、底板木片１１及び上部木片１６の長手方向と平行になるように配置されている。また、第２長尺木片２３は、底板木片１１に対する垂直方向からの平面視において、２つの上部木片１６の間に配置されている。第２長尺木片２３は、一方の端部２３ａが、中央木片１４と左側板木片１３との間に配置された中間木片１５に固定されている。第２長尺木片２３は、他方の端部２３ｂ側が、中央木片１４と左側板木片１３との間に配置された中間木片１５から、右側板木片１２に向かって突出している。すなわち、第２長尺木片２３の端部２３ｂは、底板木片１１に対する垂直方向からの平面視において、中間木片１５と、右側板木片１２との間に位置する自由端である。第２長尺木片２３の端部２３ｂは、上下に移動自在に構成されている。第２長尺木片２３は、支持台１０の上面部１０ｂの一部を構成して、室外機１５０の底板６１と対向する。第２長尺木片２３は、図１に示すように、第１長尺木片２１と並列して配置され、第１長尺木片２１よりも長尺に形成されている。
【００２１】
（第１支持木片２１ｃ及び第２支持木片２３ｃ）
第１長尺木片２１において、自由端部側の端部２１ｂの上面部２１ｂ１には、第１支持木片２１ｃが配置されている。第１支持木片２１ｃは、直方体状の木片であり、支持台１０に室外機１５０が載せ置かれた際に、室外機１５０の底板６１が当接する。また、第２長尺木片２３において、自由端部側の端部２３ｂの上面部２３ｂ１には、直方体形状の第２支持木片２３ｃが配置されている。第２支持木片２３ｃは、直方体状の木片であり、支持台１０に室外機１５０が載せ置かれた際に、室外機１５０の底板６１が当接する。なお、上述のように、第２長尺木片２３の長手方向の長さは、第１長尺木片２１の長手方向の長さよりも長い。そのため、底板木片１１に対する垂直方向からの平面視において、第２支持木片２３ｃは、第１支持木片２１ｃと比較して、中間木片１５と右側板木片１２との間で、右側板木片１２に近い位置に配置されている。
【００２２】
上述した各木片の上下方向の位置関係をまとめると、梱包装置１００は、最下層に底板木片１１に有し、底板木片１１の上方に右側板木片１２、左側板木片１３、中央木片１４、中間木片１５を配置する。さらに、梱包装置１００は、右側板木片１２、左側板木片１３、中央木片１４、中間木片１５の上方に上部木片１６、横断木片１８、第１長尺木片２１、第２長尺木片２３を配置する。そして、梱包装置１００は、上部木片１６の上方に位置規定用木片１７を配置し、第１長尺木片２１の上方に第１支持木片２１ｃを配置し、第２長尺木片２３の上方に第２支持木片２３ｃを配置する。また、梱包装置１００は、横断木片１８及び第１長尺木片２１の上方に中央支持木片２１ｄを配置する。
【００２３】
（室外機１５０）
図２に示すように、空気調和機２００の室外機１５０は、筐体５１を有する。室外機１５０の筐体５１は、室外機１５０の外郭を構成する。筐体５１は、板金製であり、直方体形状に構成されている。筐体５１は、円形状の吹出口５２ａが形成されている前面パネル５２を有する。前面パネル５２には、吹出口５２ａを覆って送風機５３のプロペラファンを保護するファンガード５４が取り付けられている。なお、図２では、室外機１５０は、２つの送風機５３を有するものであるが、室外機１５０は、１つの送風機５３を有するものであっても、３つ以上の送風機５３を有するものであってもよい。室外機１５０は、筐体５１の底板６１に脚部５５を有している。
【００２４】
図３は、本発明の実施の形態１に係る梱包装置１００に対する室外機１５０の重量物の配置を示す図である。図４は、本発明の実施の形態１に係る梱包装置１００と室外機１５０の重量物の位置関係を示す上面図である。図３及び図４は、室外機１５０において筐体５１の底板６１上に配置されている重量物の配置を示している。なお、重量物とは、底板６１上に配置される比較的重量のある部品であり、例えば、圧縮機６２、アキュムレーター６３、仕切板６４等は、それぞれ重量物の１つを構成する。また、図４に示す第１支持木片２１ｃ、第２支持木片２３ｃ、中央支持木片２１ｄは、底板６１の下方に当接する第１支持木片２１ｃ、第２支持木片２３ｃ、中央支持木片２１ｄの位置を表したものである。図３及び図４に示すように、室外機１５０の筐体５１の内部では、底板６１上の右側に、冷凍サイクルを構築するために必要とされる重量部品の圧縮機６２及びアキュムレーター６３が配置されている。また、図３及び図４に示すように、室外機１５０の筐体５１内では、底板６１上の右側に、筐体５１の内部空間を機械室と送風機室とに区画する重量部品である仕切板６４が配置されている。このため、室外機１５０の重心は、室外機１５０の右側に偏心している。
【００２５】
図２及び図３に示すように、梱包装置１００は、空気調和機２００の室外機１５０の下方に配置されており、空気調和機２００の室外機１５０は、梱包装置１００の上に載せ置かれている。図３及び図４に示すように、室外機１５０の脚部５５は、上部木片１６の上面部１６ａと当接し、筐体５１を梱包装置１００の上方に支持している。また、室外機１５０の底板６１は、梱包装置１００の第１支持木片２１ｃ、第２支持木片２３ｃ、中央支持木片２１ｄとそれぞれ当接している。なお、室外機１５０は、脚部５５が梱包装置１００の位置規定用木片１７の側面部と当接することで支持台１０上における配置位置が決定される。
【００２６】
図４を用いて、梱包装置１００の構成を、室外機１５０との関係において再度説明する。図４に示すように、梱包装置１００の右側板木片１２は、室外機１５０の筐体５１の右側端に沿って配置されている。同様に、梱包装置１００の左側板木片１３は、室外機１５０の筐体５１の左側端に沿って配置されている。図４に示すように、右側板木片１２と左側板木片１３との間の距離Ｌ１は、室外機１５０の底板６１の左右方向の長さＬ２よりも大きい。また、上部木片１６同士の間の距離Ｌ３は、室外機１５０の底板６１の前後方向の長さＬ４よりも大きい。図３及び図４に示すように、梱包装置１００の第１支持木片２１ｃは、支持台１０に室外機１５０を配置した場合に、圧縮機６２の下方に位置するように配置されている。また、梱包装置１００の第２支持木片２３ｃは、支持台１０に室外機１５０を配置した場合に、アキュムレーター６３の下方に位置するように配置されている。さらに、梱包装置１００の中央支持木片２１ｄは、支持台１０に室外機１５０を配置した場合に、筐体５１内を機械室と送風機室とに区画する仕切板６４の下方に位置するように配置されている。また、梱包装置１００の中間木片１５は、室外機１５０が支持台１０に載せられたときに脚部５５の下方に位置するように配置されることが望ましい。脚部５５には室外機１５０の荷重がかかるため、脚部５５の下方位置する部材は、対荷重の強度を上げることが望ましいからである。中間木片１５は、脚部５５が当接する上部木片１６を下から支持する構造となり、梱包装置１００の構成上の強度を上げることができる。
【００２７】
［梱包装置１００の作用］
図５は、本発明の実施の形態１に係る梱包装置１００の垂直落下時の、室外機１５０の変形の概念を示す図である。なお、図５以下の図面で示す記号ＦＳは床面を表し、記号Ｇは室外機１５０の落下方向を表す。また、図５以下の図面において、室外機１５０と梱包装置１００との関係を説明するために上部木片１６の記載を省略する。次に梱包装置１００の作用について説明する。梱包装置１００が取り付けられた室外機１５０が、床面ＦＳに対して垂直に落下した際は、図５に示すように、第１支持木片２１ｃが圧縮機６２の足ゴム６２ａを介して圧縮機６２の荷重を支える。第１支持木片２１ｃが圧縮機６２の荷重を支えることで、底板６１へ加わる力を緩和することができ、例えば脚部５５が支点となって底板６１が変形することを防止することができる。さらに、第１支持木片２１ｃが配置されている第１長尺木片２１の端部２１ｂは、自由端となっているために端部２１ｂは弾力性を有し、図５の破線部Ａ１に示すように微小な撓みを形成することができる。そのため、梱包装置１００は、室外機１５０の落下の衝撃を緩和させる効果を持つ。
【００２８】
上記と同等の作用が、アキュムレーター６３の下方に配置されている第２支持木片２３ｃと第２長尺木片２３との間にも生じる。梱包装置１００が取り付けられた室外機１５０が、床面ＦＳに対して垂直に落下した際は、第２支持木片２３ｃがアキュムレーター６３の支持部材を介してアキュムレーター６３の荷重を支える。第２支持木片２３ｃがアキュムレーター６３の荷重を支えることで、底板６１へ加わる力を緩和することができ、例えば脚部５５が支点となって底板６１が変形することを防止することができる。さらに、第２支持木片２３ｃが配置されている第２長尺木片２３の端部２３ｂは、自由端となっているために端部２３ｂは弾力性を有し、図５の破線部Ａ１に示すように微小な撓みを形成することができる。そのため、梱包装置１００は、室外機１５０の落下の衝撃を緩和させる効果を持つ。
【００２９】
図６は、図５の梱包装置１００に対する比較例を示す概念図である。図６に示すように、比較例の梱包装置１００Ａは、室外機１５０を構成する重量物の直下に木片が配置されていない装置である。図６を用いて、梱包装置１００Ａの垂直落下時の室外機１５０の変形の態様を示す。図６に示すように、梱包装置１００Ａに第１支持木片２１ｃが配置されていない場合には、圧縮機６２と脚部５５との位置関係において、圧縮機６２が傾く場合があり、この場合に圧縮機６２の荷重が底板６１にかかる。しかし、底板６１の下方には、第１支持木片２１ｃが配置されておらず、底板６１は圧縮機６２の足ゴム６２ａを介して圧縮機６２の加重を支えられない。そのため、底板６１は、図６の破線部Ａ２で示すように大きく撓み、底板６１は変形することになる。
【００３０】
図７は、図５の梱包装置１００に対する他の比較例を示す概念図である。図７に示すように、他の比較例の梱包装置１００Ｂは、第１長尺木片２１の端部２１ｂが固定端となっている装置である。図７に示すように、他の比較例の梱包装置１００Ｂは、第１長尺木片２１の端部２１ｂと、底板木片１１との間に固定用木片２５が配置されている。そのため、他の比較例の梱包装置１００Ｂに用いられている第１長尺木片２１の端部２１ｂは、上下方向の動きを固定用木片２５によって規制された固定端である。図７を用いて、梱包装置１００Ｂの垂直落下時の室外機１５０の変形の態様を示す。図７に示すように固定用木片２５により第１長尺木片２１の端部２１ｂが固定端となっている場合、底板木片１１、固定用木片２５、第１長尺木片２１、第１支持木片２１ｃを通じて室外機１５０の落下の衝撃が底板６１に伝わる。そのため、底板６１は、図７の破線部Ａ３で示すように、圧縮機６２の足ゴム６２ａ側が凸となるように変形することになる。
【００３１】
図８は、本発明の実施の形態１に係る梱包装置１００の右側傾斜落下時の、室外機１５０の変形の概念を示す図である。上述したように、室外機１５０は、底板６１の右側に重量物が配置されており、室外機１５０の重心は、室外機１５０の右側に偏心している。梱包装置１００が取り付けられた室外機１５０が、例えば、床面ＦＳに対して右側に傾斜を持って落下した際には、図８の破線部Ａ４に示すように、室外機１５０の落下の衝撃によって底板木片１１が撓んで変形する。この際、第１支持木片２１ｃが配置されている第１長尺木片２１の端部２１ｂは自由端となっているために端部２１ｂは弾力性を有し、第１長尺木片２１の端部２１ｂは、図８の破線部Ａ５に示すように微小な変形のみが生じる。そのため、梱包装置１００は、底板６１へ伝達される室外機１５０の落下の衝撃が緩和され、底板６１の変形を防止することができる。なお、室外機１５０の落下による衝撃が閾値以下の大きさであれば、底板木片１１の撓みによる変形は、弾性力により復元する。
【００３２】
図９は、図８の梱包装置１００に対する比較例を示す概念図である。図９に示すように、比較例の梱包装置１００Ａは、室外機１５０を構成する重量物の直下に木片が配置されていない梱包装置である。図９を用いて、梱包装置１００Ａの右側傾斜落下時の室外機１５０の変形の態様を示す。図９に示すように、梱包装置１００Ａに第１支持木片２１ｃが配置されていない場合には、圧縮機６２と脚部５５との位置関係において、圧縮機６２が傾く場合があり、この場合に圧縮機６２の荷重が底板６１にかかる。しかし、底板６１の下方には、第１支持木片２１ｃが配置されておらず、底板６１は圧縮機６２の足ゴム６２ａを介して圧縮機６２の加重を支えられない。そのため、底板６１は、図９の破線部Ａ６で示すように大きく撓み、底板６１は変形することになる。
【００３３】
図１０は、図８の梱包装置１００に対する他の比較例を示す概念図である。図１０を用いて、比較例である梱包装置１００Ｃの右側傾斜落下時の、室外機１５０の変形の態様を説明する。梱包装置１００Ｃは上部木片２６を有する。上部木片２６は、中間木片１５と右側板木片１２との上面部に渡って配置され、中間木片１５と右側板木片１２との上面部に固定されている。すなわち、上部木片２６は、固定端を有しており、自由端を有していない。第１支持木片２１ｃは、中間木片１５と右側板木片１２との間の、上部木片２６の上面部に配置されている。図１０に示すように上部木片２６により第１支持木片２１ｃが固定されている場合、底板木片１１、右側板木片１２を通じて室外機１５０の落下の衝撃が上部木片２６に伝わる。さらに、上部木片２６の上面部に設置されている第１支持木片２１ｃを通じて底板６１に室外機１５０の落下の衝撃が伝わる。そのため、底板６１は図１０の破線部Ａ７で示すように、圧縮機６２の足ゴム６２ａ側に折れ曲がるように変形することになる。
【００３４】
以上のように、梱包装置１００は、長尺の板状に形成され、支持台１０の上面部１０ｂの一部を構成して底板６１と対向するものであって、一方の端部２１ａが支持台１０に固定され他方の端部２１ｂが上下に移動自在の自由端として構成された第１長尺木片２１を有する。そして、梱包装置１００は、第１長尺木片２１において自由端側の端部２１ｂの上面部２１ｂ１に配置され、室外機１５０が支持台１０に載せられたときに重量物の下方に位置して底板６１と当接する第１支持木片２１ｃを有する。また、梱包装置１００は、長尺の板状に形成され、支持台１０の上面部１０ｂの一部を構成して底板６１と対向するものであって、一方の端部２３ａが支持台１０に固定され他方の端部２３ｂが上下に移動自在の自由端として構成された第２長尺木片２３を有する。そして、梱包装置１００は、第２長尺木片２３において自由端側の端部２３ｂの上面部２３ｂ１に配置され、室外機１５０が支持台１０に載せられたときに重量物の下方に位置して底板６１と当接する第２支持木片２３ｃを有する。そのため、梱包装置１００は、発泡スチロールと比較して剛性が高い木材の弾性力を利用するものであり、空気調和機２００の室外機１５０の落下時に重量物の荷重を支えて室外機１５０の落下の衝撃を吸収する。また、梱包装置１００は、落下時に室外機１５０の荷重による破損を防ぐ耐力を持つ。その結果、梱包装置１００によって、空気調和機２００の室外機１５０の落下時に床から伝わる衝撃が室外機１５０に伝達しにくく、室外機１５０に加わる落下時の衝撃が緩和されて、室外機１５０の破損を防止することができる。また、室外機１５０は、底板６１の右側に圧縮機６２、アキュムレーター６３等の重量物が配置されており、室外機１５０の重心は、室外機１５０の右側に偏心している。そのため、室外機１５０は、右側に傾いて落下しやすい。梱包装置１００は、室外機１５０が支持台１０に載せられたときに重量物の下方に位置して底板６１と当接する第１支持木片２１ｃと第２支持木片２３ｃとを有する。そのため、梱包装置１００は、室外機１５０が、右側に傾斜を持って落下した際に、重量物に落下の衝撃が伝わらず、筐体５１の底板６１の変形を抑制することができる。
【００３５】
また、梱包装置１００は、底板木片１１、右側板木片１２、左側板木片１３、中央木片１４、中間木片１５、上部木片１６から構成される骨組構造の支持台１０を有している。そのため、梱包装置１００は、支持台１０自体が発泡スチロールと比較して剛性が高い木材の弾性力を利用するものであり、空気調和機２００の室外機１５０の落下時に重量物の荷重を支えて室外機１５０の落下の衝撃を吸収する。また、梱包装置１００は、落下時に室外機１５０の荷重による破損を防ぐ耐力を持つ。その結果、梱包装置１００によって、空気調和機２００の室外機１５０の落下時に床から伝わる衝撃が室外機１５０に伝達しにくく、室外機１５０に加わる落下時の衝撃が緩和されて、室外機１５０の破損を防止することができる。また、梱包装置１００は、支持台１０の弾性力と、第１長尺木片２１及び第２長尺木片２３との弾性力が相まって更に空気調和機２００の室外機１５０の落下時に重量物の荷重を支えて室外機１５０の落下の衝撃を吸収することができる。
【００３６】
また、支持台１０は、長尺矩形の板状に形成され、上部木片１６の間に架け渡され、上部木片１６に載せ置かれる脚部５５に当接して支持台１０上の室外機１５０の配置位置を規定する位置規定用木片１７を更に備える。そのため、作業者は、梱包装置１００に室外機１５０を載せ置く作業を行う際に、室外機１５０の位置決めを容易に行うことができる。
【００３７】
また、支持台１０は、右側板木片１２と左側板木片１３との間の距離Ｌ１が、底板６１の左右方向の長さＬ２よりも大きく、上部木片１６のそれぞれの間の距離Ｌ３が、底板６１の前後方向の長さＬ４よりも大きい。そのため、梱包装置１００を取り付けた空気調和機２００の室外機１５０が、床面に対して斜めに落下しても、室外機１５０は床面に直接衝突せず、支持台１０の端部の床面が床に衝突する。そして、支持台１０は、室外機１５０の落下時に重量物の荷重を支えて室外機１５０の落下の衝撃を吸収する。また、この際、支持台１０の端部の床面が床に衝突するため支持台１０の床面側は変形する可能性がある。しかし、第１長尺木片２１及び第２長尺木片２３の自由端に位置する第１支持木片２１ｃ及び第２支持木片２３ｃには、支持台１０と床との衝突の力は直接伝わらないため、室外機１５０は落下の衝撃を受けにくい。
【００３８】
また、支持台１０は、長尺矩形の板状に形成され、２つの中間木片１５と中央木片１４との上面部に架け渡されている横断木片１８を有する。更に支持台１０は、長尺状の角材であり、第１長尺木片２１と横断木片１８との上面部に架け渡された中央支持木片２１ｄを有する。中央支持木片２１ｄは、室外機１５０が支持台１０に載せられたときに筐体５１内を機械室と送風機室とに区画する重量物の１つである仕切板６４の下方に位置し、底板６１と当接する。そのため、室外機１５０は、室外機１５０が落下した際に、重量物の１つである仕切板６４が中央支持木片２１ｄによって下方から支持される。その結果、梱包装置１００は、仕切板６４が配置された底板６１の変形を抑制することができる。
【００３９】
実施の形態２．
［梱包装置１１０の構成］
図１１は、本発明の実施の形態２に係る梱包装置１１０を示す斜視図である。図１〜図１０の梱包装置１００と同一の構成を有する部位には同一の符号を付してその説明を省略する。実施の形態２に係る梱包装置１１０において特に記述しない項目については、発明の実施の形態１に係る梱包装置１００と同様とし、同一の機能及び構成については同一の符号を用いて述べることとする。
【００４０】
（第３長尺木片２７）
梱包装置１１０は、梱包装置１００の第１長尺木片２１及び第２長尺木片２３の代わりに第１長尺木片２１及び第２長尺木片２３と同等の作用をもつ第３長尺木片２７を有する。２つの中間木片１５と、中央木片１４との上面部には、第３長尺木片２７が固定されている。第３長尺木片２７は、２つの中間木片１５と、中央木片１４との上面部に架け渡されている。第３長尺木片２７は、長尺矩形の板状に形成されており、底板木片１１に対する垂直方向からの平面視において、第３長尺木片２７の長手方向が、底板木片１１及び上部木片１６の長手方向と平行になるように配置されている。また、第３長尺木片２７は、底板木片１１に対する垂直方向からの平面視において、２つの上部木片１６の間に配置されている。第３長尺木片２７は、一方の端部２７ａが、中央木片１４と左側板木片１３との間に配置された中間木片１５に固定されている。第３長尺木片２７は、他方の端部２７ｂ側が、中央木片１４と左側板木片１３との間に配置された中間木片１５から、右側板木片１２に向かって突出している。すなわち、第３長尺木片２７の端部２７ｂは、底板木片１１に対する垂直方向からの平面視において、中間木片１５と、右側板木片１２との間に位置する自由端である。第３長尺木片２７の端部２７ｂは、上下に移動自在に構成されている。第３長尺木片２７は、支持台１０の上面部１０ｂの一部を構成して、室外機１５０の底板６１と対向する。
【００４１】
第３長尺木片２７と、横断木片１８との上面部には、中央支持木片２１ｄが固定されている。中央支持木片２１ｄは、第３長尺木片２７と、横断木片１８との上面部に架け渡されている。中央支持木片２１ｄは、長尺状の角材であり、底板木片１１に対する垂直方向からの平面視において、中央支持木片２１ｄの長手方向が、右側板木片１２、左側板木片１３、中央木片１４、中間木片１５の長手方向と平行になるように配置されている。中央支持木片２１ｄは、梱包装置１１０に室外機１５０を配置した場合に、室外機１５０の底板６１と当接する。中央支持木片２１ｄは、支持台１０に室外機１５０を配置した場合に、仕切板６４の下方に位置する。
【００４２】
（第３支持木片２８及び第４支持木片２９）
梱包装置１１０は、第３長尺木片２７において自由端側の端部２７ｂの上面部２７ｂ１に配置され、室外機１５０が支持台１０に載せられたときに重量物の下方に位置して底板６１と当接する第３支持木片２８と、第４支持木片２９とを有する。第３支持木片２８と、第４支持木片２９とは、第３長尺木片２７と直交する方向に配置されている。また、第３支持木片２８と、第４支持木片２９とは、第３長尺木片２７の長手方向に配列され、第３支持木片２８は左側板木片１３側に配置され、第４支持木片２９は右側板木片１２側に配置されている。
【００４３】
第３支持木片２８は、第３長尺木片２７の短手方向において、一方の端部２８ａ１が第３長尺木片２７の自由端側の端部２７ｂの上面部２７ｂ１に固定され、他方の端部２８ａ２が第３長尺木片２７から突出した自由端を構成する第１突出木片２８ａを有する。なお、第３長尺木片２７の短手方向とは、底板木片１１に対する垂直方向からの平面視において、第３長尺木片２７の長手方向に対する直角の方向である。第１突出木片２８ａは、板状に形成されている。第１突出木片２８ａは、中央支持木片２１ｄの配置側に突出しており、第１突出木片２８ａの突出方向の端部２８ａ２が自由端である。すなわち、第１突出木片２８ａの端部２８ａ２は、筐体５１の前方向に向かって自由端となる。
【００４４】
第３支持木片２８は、第１突出木片２８ａにおいて自由端側の端部２８ａ２の上面部２８ａ３に配置され、室外機１５０が支持台１０に載せられたときに重量物の１つを構成する圧縮機６２の下方に位置する第１台座木片２８ｂを更に有する。第１台座木片２８ｂは、直方体状の木片であり、支持台１０に室外機１５０が載せ置かれた際に、室外機１５０の底板６１が当接する。
【００４５】
第４支持木片２９は、第３長尺木片２７の短手方向において、一方の端部２９ａ１が第３長尺木片２７の自由端側の端部２７ｂの上面部２７ｂ１に固定され、他方の端部２９ａ２が第３長尺木片２７から突出した自由端を構成する第２突出木片２９ａを有する。なお、第２突出木片２９ａの突出方向は、第１突出木片２８ａの突出方向とは反対方向に突出している。第２突出木片２９ａは、板状に形成されている。第２突出木片２９ａは、中央支持木片２１ｄの配置側とは反対側に突出しており、第２突出木片２９ａの突出方向の端部２９ａ２が自由端である。すなわち、第２突出木片２９ａの端部２９ａ２は、筐体５１の後方向に向かって自由端となる。
【００４６】
第１突出木片２８ａと第２突出木片２９ａとは、支持台１０の前後に配置されている上部木片１６に向かってそれぞれ突出している。第１突出木片２８ａと第２突出木片２９ａとは、第３長尺木片２７の自由端側の端部２７ｂにおいて、第２突出木片２９ａは第３長尺木片２７の先端側に位置し、第１突出木片２８ａは第３長尺木片２７の固定側に位置する。
【００４７】
第４支持木片２９は、第２突出木片２９ａにおいて自由端側の端部２９ａ２の上面部２９ａ３に配置され、室外機１５０が支持台１０に載せられたときに重量物の１つを構成するアキュムレーター６３の下方に位置する第２台座木片２９ｂを更に有する。第２台座木片２９ｂは、直方体状の木片であり、支持台１０に室外機１５０が載せ置かれた際に、室外機１５０の底板６１が当接する。なお、上述のように、第１突出木片２８ａと第２突出木片２９ａとは、第３長尺木片２７の自由端側の端部２７ｂにおいて、第２突出木片２９ａは第３長尺木片２７の先端側に位置し、第１突出木片２８ａは第３長尺木片２７の固定側に位置する。そのため、底板木片１１に対する垂直方向からの平面視において、第２台座木片２９ｂは、第１台座木片２８ｂと比較して、中間木片１５と右側板木片１２との間で、右側板木片１２に近い位置に配置されている。
【００４８】
上述した各木片の位置関係をまとめると、梱包装置１１０は、最下層に底板木片１１に有し、底板木片１１の上方に右側板木片１２、左側板木片１３、中央木片１４、中間木片１５を配置する。さらに、梱包装置１１０は、右側板木片１２、左側板木片１３、中央木片１４、中間木片１５の上方に上部木片１６、横断木片１８、第３長尺木片２７を配置する。そして、梱包装置１１０は、上部木片１６の上方に位置規定用木片１７を配置し、第３長尺木片２７の上方に第１突出木片２８ａ及び第２突出木片２９ａを配置し、横断木片１８及び第３長尺木片２７の上方に中央支持木片２１ｄを配置する。また、梱包装置１１０は、第１突出木片２８ａの上方に第１台座木片２８ｂを配置し、第２突出木片２９ａの上方に第２台座木片２９ｂを配置する。
【００４９】
以上のように、梱包装置１１０は、長尺の板状に形成され、支持台１０の上面部１０ｂの一部を構成して底板６１と対向するものであって、一方の端部２７ａが支持台１０に固定され他方の端部２７ｂが上下に移動自在の自由端として構成された第３長尺木片２７を有する。そして、梱包装置１１０は、第３長尺木片２７において自由端側の端部２７ｂの上面部２７ｂ１に配置され、室外機１５０が支持台１０に載せられたときに重量物の下方に位置して底板６１と当接する第３支持木片２８と第４支持木片２９とを有する。そのため、梱包装置１１０は、発泡スチロールと比較して剛性が高い木材の弾性力を利用するものであり、空気調和機２００の室外機１５０の落下時に重量物の荷重を支えて室外機１５０の落下の衝撃を吸収する。また、梱包装置１１０は、落下時に室外機１５０の荷重による破損を防ぐ耐力を持つ。その結果、梱包装置１１０によって、空気調和機２００の室外機１５０の落下時に床から伝わる衝撃が室外機１５０に伝達しにくく、室外機１５０に加わる落下時の衝撃が緩和されて、室外機１５０の破損を防止することができる。また、室外機１５０は、底板６１の右側に圧縮機６２、アキュムレーター６３等の重量物が配置されており、室外機１５０の重心は、室外機１５０の右側に偏心している。そのため、室外機１５０は、右側に傾いて落下しやすい。梱包装置１１０は、室外機１５０が支持台１０に載せられたときに重量物の下方に位置して底板６１と当接する第３支持木片２８と第４支持木片２９とを有する。そのため、梱包装置１１０は、室外機１５０が、右側に傾斜を持って落下した際に、重量物に落下の衝撃が伝わらず、筐体５１の底板６１の変形を抑制することができる。また、実施の形態１の第１長尺木片２１と第２長尺木片２３との機能を、第３長尺木片２７に集約することで梱包装置１１０の構成に必要な木片の総量を削減することが出来る。また、第３支持木片２８は、板状に形成され、一方の端部２８ａ１が固定され、他方の端部２８ａ２が自由端を構成する第１突出木片２８ａを有する。同様に、第４支持木片２９は、板状に形成され、一方の端部２９ａ１が固定され、他方の端部２９ａ２が自由端を構成する第２突出木片２９ａを有する。梱包装置１１０は、第１突出木片２８ａと、第２突出木片２９ａを用いることで更に木片の弾性力を利用することができ、空気調和機２００の室外機１５０の落下時に重量物の荷重を支えて室外機１５０の落下の衝撃を吸収する。また、梱包装置１１０は、第１突出木片２８ａ及び第２突出木片２９ａの配置を変更することで重量物の配置に対する位置の変更を容易に行うことができる。
【００５０】
本発明の実施の形態は上記実施の形態１〜２に限定されない。例えば、第１支持木片２１ｃ及び第２支持木片２３ｃは、直方体状の木片であるが、底板６１に配置された重量物を支持するものであればよく、例えば、半球状、円柱状、多角柱上等、他の形状に形成されてもよい。同様に、第１台座木片２８ｂ及び第２台座木片２９ｂは、直方体状の木片であるが、底板６１に配置された重量物を支持するものであればよく、例えば、半球状、円柱状、多角柱上等、他の形状に形成されてもよい。
【符号の説明】
【００５１】
１０  支持台、１０ａ  底部、１０ｂ  上面部、１１  底板木片、１１ａ  上面部、１２  右側板木片、１３  左側板木片、１４  中央木片、１５  中間木片、１６  上部木片、１６ａ  上面部、１７  位置規定用木片、１８  横断木片、２１  第１長尺木片、２１ａ  端部、２１ｂ  端部、２１ｂ１  上面部、２１ｃ  第１支持木片、２１ｄ  中央支持木片、２３  第２長尺木片、２３ａ  端部、２３ｂ  端部、２３ｂ１  上面部、２３ｃ  第２支持木片、２５  固定用木片、２６  上部木片、２７  第３長尺木片、２７ａ  端部、２７ｂ  端部、２７ｂ１  上面部、２８  第３支持木片、２８ａ  第１突出木片、２８ａ１  端部、２８ａ２  端部、２８ａ３  上面部、２８ｂ  第１台座木片、２９  第４支持木片、２９ａ  第２突出木片、２９ａ１  端部、２９ａ２  端部、２９ａ３  上面部、２９ｂ  第２台座木片、５１  筐体、５２  前面パネル、５２ａ  吹出口、５３  送風機、５４  ファンガード、５５  脚部、６１  底板、６２  圧縮機、６２ａ  足ゴム、６３  アキュムレーター、６４  仕切板、１００  梱包装置、１００Ａ  梱包装置、１００Ｂ  梱包装置、１００Ｃ  梱包装置、１１０  梱包装置、１５０  室外機、２００  空気調和機。
【図１】
2019198209.tif 000003
【図２】
2019198209.tif 000004
【図３】
2019198209.tif 000005
【図４】
2019198209.tif 000006
【図５】
2019198209.tif 000007
【図６】
2019198209.tif 000008
【図７】
2019198209.tif 000009
【図８】
2019198209.tif 000010
【図９】
2019198209.tif 000011
【図１０】
2019198209.tif 000012
【図１１】
2019198209.tif 000013
【国際調査報告】
2019198209.tif 000014
2019198209.tif 000015
2019198209.tif 000016
2019198209.tif 000017